(57)【要約】本発明はトルクコンバータの構成要素である従来の固定子のブレードに貫通通路を形成させ、失速状態及び低速度比区間で安定的なトルクを発生させ、セグ現象を防止する固定子のブレードに関するものである。本発明の特徴は固定子のブレードの腹面部と背面部との間にオイル流動用貫通通路を新しく形成させたことを特徴とする。本発明は固定子のブレードの構造形状変更を通して低速度比区間における流動剥離及び再循環領域の発生を抑制して性能低下現象を防止し、その他の区間においてもトルクコンバータ全体の性能を向上させる効果を期待することができる。
2005520109.tif 000002
【特許請求の範囲】
【請求項１】
連結部材２を介してクランク軸と同軸的に取り付けられ、クランク軸と一体的に回転するインペラー３、該インペラーから吐出されたオイルによって回転されると同時に、後端部がトランスミッション軸１３に同軸に取り付けられたタービン４、固定された固定子シャフト１２にワンウェイクラッチを介して取り付けられ、タービンからインペラーに還流するオイルの流動方向をインペラー３の回転方向に向ける固定子５としてインナーリング６とアウターリング７との間に多数の翼形のブレード８が形成されている上記固定子を含んでいる流体式トルクコンバータにおいて、
上記固定子のブレード８は、互いに所定の間隔を置いて配置された２つの部分８’、８”からなっており、上記ブレード８には該２つの部分８’、８”、インナーリング６及びアウターリング７によって区画された空間が形成されており、該空間がオイルの流動方向上流側である腹面部から下流側である背面部に亘って貫通するオイル流動用スロット状の貫通通路１５として作用し、上記ブレード８に形成された上記スロット状貫通通路１５の角度が−５度乃至＋４０度の範囲を有しており、上記角度は固定子ブレードの平均キャンバーライン上の所定の位置に位置する上記所定の間隔を二等分するスロット状貫通通路の中心軸線と、タービンブレードの設計流線上の出口点における接線の平行線とにより形成された角度であることを特徴とする、トルクコンバータの固定子のブレード。
【請求項２】
上記ブレード８は翼形である請求項１に記載のトルクコンバータの固定子のブレード。
【請求項３】
上記ブレード８は薄板形である請求項１に記載のトルクコンバータの固定子のブレード。
【請求項４】
固定子ブレード８の前縁と後縁とを結ぶ弦の全直線距離に対する、前記前縁から固定子ブレード８の平均キャンバーラインと貫通通路の中心軸との交点から延びる垂線と前記コード線との交点までの距離の比の百分率である、上記ブレード８に形成された貫通通路の距離比は１２％乃至３８％の範囲であることを特徴とする請求項１乃至３項のいずれか１項に記載のトルクコンバータの固定子のブレード。
【請求項５】
上記貫通通路の背面部表面積は、固定子ブレード８の背面部の全表面積の３％乃至２０％の範囲内にあるサイズを有している請求項１乃至３項のいずれか１項に記載のトルクコンバータの固定子のブレード。
【請求項６】
上記貫通通路の背面部表面積は、固定子ブレード８の背面部の全表面積の３％乃至２０％の範囲内にあるサイズを有している請求項４に記載のトルクコンバータの固定子のブレード。
【請求項７】
上記ブレード８に形成された貫通通路の入口と出口断面積の拡大率が１０％乃至３０％の範囲内である請求項１乃至３項のいずれか１項に記載のトルクコンバータの固定子のブレード。
【請求項８】
上記ブレード８に形成された貫通通路の入口と出口断面積の拡大率が１０％乃至３０％の範囲内である請求項４に記載のトルクコンバータの固定子のブレード。
【請求項９】
上記ブレード８に形成された貫通通路の入口と出口断面積の拡大率が１０％乃至３０％の範囲内である請求項５に記載のトルクコンバータの固定子のブレード。
【請求項１０】
上記ブレード８に形成された貫通通路の入口と出口断面積の拡大率が１０％乃至３０％の範囲内である請求項６に記載のトルクコンバータの固定子のブレード。
【請求項１１】
連結部材２を介してクランク軸と同軸的に取り付けられクランク軸と一体的に回転するインペラー３、該インペラーから吐出されたオイルによって回転されると同時に、後端部がトランスミッション軸１３に同軸に取り付けられたタービン４、固定された固定子シャフト１２にワンウェイクラッチを介して取り付けられ、タービンからインペラーに還流するオイルの流動方向をインペラー３の回転方向に向ける固定子５としてインナーリング６とアウターリング７との間に多数の翼形のブレード８が形成されている上記固定子を含んでいる流体式トルクコンバータにおいて、
上記固定子のブレード８は、互いに所定の間隔を置いて配置された２つの部分８’、８”からなっており、上記ブレード８には該２つの部分８’、８”、インナーリング６及びアウターリング７によって区画された空間が形成されており、該空間がオイルの流れ方向上流側である腹面部から下流側である背面部に亘って貫通するオイル流動用貫通通路として作用し、上記ブレード８をなしている２つの部分８’、８”が全て翼形状であるトルクコンバータの固定子のブレード。
【発明の詳細な説明】
【技術分野】
【０００１】
本発明は流体カップリング式トルクコンバータに関するものであって、より詳しくは、インペラーとタービンとの間に配置されたトルクコンバータの固定子のブレードに関するものである。
【背景技術】
【０００２】
トルクアクスルと一体的に回転するインペラー、該インペラーから吐出されるオイルによって回転されるタービン、及びタービンからインペラーに還流するオイルの流れをインペラーの回転方向に向ける固定子を備えた流体カップリング式トルクコンバータは既に公知である。
【発明の開示】
【発明が解決しようとする課題】
【０００３】
このようなトルクコンバータでは、インペラーから吐出されたオイルをタービンに流入させ、このオイルの流動エネルギーでタービンを回転させ、その後、タービンからインペラーに還流するオイルの流れを固定子によってインペラーの回転方向に転換させ、このオイルによってインペラーブレードの背面を押してインペラーの回転を増加させ、さらに回転が増加されたインペラーから吐出されたオイルによってタービンを回転させる工程が繰り返され、これによってタービンにインペラーより大きなトルクを発生させるようにしている。
【０００４】
既存のトルクコンバータの固定子は、薄板形（sheet shaped）からなったブレードを備えているが、オイルの流動が固定子のブレードに流入されるとき、オイルの流動方向と薄板形ブレードの入口角度が流動を滑らかに流出させることのできない迎角（attack angle）を有しているので、乱流であるオイルの流動を惹起し、オイルが有する力学的エネルギーが熱エネルギーに変換され失われるため、トルクコンバータのトルク伝達効率が低下するという問題がある。
【０００５】
よって、現在では全てのトルクコンバータは翼形（wing shaped 又はhydrofoil shaped）のブレードを備えている。この固定子の翼形ブレードは前縁（leading edge）部位の幾何学的特性によってオイルの流動が固定子のブレードに流入されるとき、オイルの流動方向と翼形ブレードの入口角度が一定角度の差異においても、流動を滑らかに流れ出させることができる。
【０００６】
しかしながら、上記固定子の翼形ブレードが失速状態にあるときには、上記固定子のブレードが翼形であるにも拘わらず図４に図示されたとおり、流動を滑らかに流れ出させることができないことが、翼形状の固定子ブレード周りのオイル流れを観察した結果、明らかになった。
【０００７】
ここで、上記失速状態は速度比が０である状態を言い、上記速度比は翼形のインペラーの回転速度とタービンの回転速度との比を言う。即ち、上記失速状態はエンジンの動力を受けてインペラーがエンジンの回転速度で回転し、そして運転者がブレーキを踏んでいることに因りタービンが回転停止された状態にあることをいう。
【０００８】
図４に図示された固定子ブレードの周りのオイル流れに対して具体的に説明する。速度比が失速状態であるかまたは低い区間では、タービンが停止されているか、低い回転速度で回転しているので、タービン出口を離れた流動が固定子のブレードの前縁の左側下から腹面部側に比較的に大きな迎角を持って流入する。このとき、固定子の背面部では流動剥離（flow separation）が発生しながら再循環流動（flow recirculation）が同伴され、これに因り、オイルの流れを固定子によってインペラーの回転方向に十分に転換させることができず、このオイルによってインペラーブレードの背面を十分に押さえてインペラーの回転を所望の程度だけ増加させることが出来なかった。そのため、トルクコンバータの設計性能が低下される現象が発生する。これをいわゆるセグ（sag）現象という。
【０００９】
セグ現象があると、速度比が漸次増加するほど、タービンの回転数が増加するようになり、従って、タービンを離れた固定子に流入される流動の迎角が小さくなり、よって固定子ブレードに滑らかに流入される。これに因り、固定子ブレードの周辺では流動剥離又は流動再循環が起こらない。
【００１０】
従って、失速状態において上記セグ現象を防止するために今まで研究された一例として、固定子のブレードに多数の貫通孔を形成させることが開示されている。しかしながら、固定子のブレードに多数の貫通孔を形成させることは次のような問題点が惹起された。
【００１１】
即ち、固定子のブレード８に多数の孔を形成させた場合、固定子ブレード８の腹面部に大きな迎角を有する状態で入射される高速流動のエネルギーが孔を通して背面部へ伝達されながら腹面部における衝撃に因る運動量損失を最少化する効果を挙げるようになり、流体機械としての若干の効率を上昇させることが出来る。しかし、図７に図示されたとおり、このような固定子のブレードに形成された多数の孔ではトルクコンバータの性能に直接的な影響を及ぼす流動剥離及び再循環流動を完全に防止することが出来ない。即ち、失速状態又は低い速度比状態の場合、タービン出口から出る流動が大きい迎角を持って固定子のブレードに流入されるとき、腹面部先部分に先ず当った流動の殆どは腹面部下流方向に抜け出るか流動の反対方向である前縁を通過して背面部に向かいながら、剥離され、一部少量の流動だけが貫通孔を通過しながら、背面部に流動を形成する。翼形理論においても、剥離流動を防止するためには貫通孔を通した噴出（blowing）は別に効果がなく、かえって、吸入（suction）流動が流動剥離の防止効果があるものと知られている。従って、図７に図示されたとおり、多数の貫通孔を有する固定子ブレード８の背面部では流動剥離と流動再循環は依然として発生し、主流動に貫通孔を通過した噴出流動（jet stream）が混合されながら乱流流動が一層発生し、流体機械の設計性能を低減させる複雑な流動構造（complex flow structure）が形成される。
【００１２】
本発明は上の事情を背景として成ったものであって、固定子ブレードの腹面部と背面部との間にオイル流動のための最適のスロットタイプの貫通通路を形成して、固定子のブレード周りにおける剥離流動及び再循環流動を常時防止してセグ現像を防止することを目的とする。
【課題を解決するための手段】
【００１３】
（発明の構成）
本発明は上記目的を達成するために、連結部材を介してクランク軸と同軸的に取り付けられクランク軸と一体的に回転するインペラー、該インペラーから吐出されたオイルによって回転されると同時に、後端部がトランスミッション軸に同軸に取り付けられたタービン、固定された固定子シャフトにワンウェイクラッチを介して取り付けられ、タービンからインペラーに還流するオイルの流動方向をインペラー３の回転方向に向ける固定子としてインナーリング６とアウターリング７との間に多数の翼形のブレード８が形成されている上記固定子を含んでいる流体式トルクコンバータにおいて、上記固定子のブレード８は、互いに所定の間隔を置いて配置された２つの部分８’、８”からなっており、上記ブレード８には上記２つの部分８’、８”、インナーリング６及びアウターリング７によって区画された空間が形成されており、該空間がオイルの流れ方向上流側である腹面部から下流側である背面部に亘って貫通するオイル流動用スロット状貫通通路１５として作用し、上記ブレード８は上記ブレードに形成されたスロット状貫通通路１５の角度が−５度乃至＋４０度の範囲を有している。上記角度が、固定子ブレードの平均キャンバーライン（camber line）上の所定位置に位置する上記所定の間隔を二等分するスロット状貫通通路の中心軸線と、タービンブレードの設計流線上の出口点における接線の平行線とにより形成された角度であることを特徴とする。
【発明を実施するための最良の形態】
【００１４】
次に、本発明の実施例を図面を参照して説明する。
図１に示されたとおり、流体式トルクコンバータ１は連結部材２を介してクランク軸と同軸的に取り付けられ、そのクランク軸と一体的に回転するインペラー３、その後端部がトランスミッション軸１３に同軸に取り付けられ、該インペラーから吐出されたオイルによって回転されるタービン４、固定された固定子シャフト１２にワンウェイクラッチ９を介して取り付けられ、タービン４からインペラーに還流するオイルの流動方向をインペラー３の回転方向に向ける固定子５で構成されている。
【００１５】
上記構成において、インペラー３が回転すると、インペラー３内のオイルが矢印Ｂで示すように、タービン４に向かって吐出され、該オイルによってタービン４がインペラー３と同じ方向に回転される。このようにしてタービン４内に流入されたオイルはタービン４を回転させる同時にその反作用によって固定子５に向かって流出される。このとき、タービン４の回転数がインペラー３の回転数より少ない通常の状態では、オイルはタービンの回転方向、即ち、インペラー３の回転方向とは反対方向の周速度を有する流れになる。そして、該インペラー３の回転方向と反対方向の周速度を有するオイルの流れは固定子５内にその円周方向に多数配置された固定子ブレード８によってインペラー３の回転方向と同一な方向の周速度を有する流れに変換される。そして、このようにインペラー３の回転方向と同一方向の周速度を有するオイルはインペラー３内に流入され、インペラー３の翼の背面部にあたり、インペラー３の回転を高める。このようにして回転が高められたインペラー３から再びオイルがタービン４に吐出され、タービン４にトルクが伝達される。このような工程が繰り返されることにより、タービン４に伝達されたトルクが大きくなり、インペラー３のトルク、即ち、クランク軸のトルクより大きいトルクがタービン４に伝達され、このように高められたトルクがトランスミッション軸１３に伝達される。
【００１６】
固定子５は、インナーリング６とアウターリング７との間に多数の翼形のブレード８を形成したものであり、そのインナーリング６がワンウェイクラッチ９のアウターレース１０にスプライン嵌め合わせられている。また、そのワンウェイクラッチ９のインナーレース１１は固定子シャフト１２にスプライン嵌め合わせられ、又、該固定子シャフト１２の内周側に配置したトランスミッション軸１３にハブ１４がスプライン嵌め合わせられ、該ハブ１４にタービン４が設けられている。
【００１７】
固定子５において、翼形のブレード８は図１に示したとおり、オイル流動用スロット形状の貫通孔１５が形成されている。
これを具体的に説明すると、固定子の翼形のブレード８は、一実施例として固定子の翼形のブレード８を斜視図で示す図２に示したとおり、中実構造であり、外表面が凸曲面で成った背面部と凹曲面で成った腹面部によって形成されている。固定子の翼形ブレード８は図２に示されたとおり、互いに所定の間隔をおいて配置された２つの部分８’、８”でなっており、ブレード８には２つの部分８’、８”、インナーリング６及びアウターリング７によって区画された空間が形成されており、該空間がオイルの流れ方向上流側である腹面部から下流側である背面部に亘って貫通するオイル流動用スロット状貫通通路１５として作用する。
【００１８】
第４図に示されたとおり、従来の固定子翼形べーンでは該ブレードの周りにおいて流動剥離及び流動再循環が、主に固定子翼形のブレードの背面部近くで発生したが、貫通通路１５を備えている本発明の固定子５の翼形ブレード８では該貫通通路１５から下流側である背面部近くに流出するオイルの流れによってブレード周りにおける流動剥離及び流動再循環現象の発生を防止することができる。
【００１９】
本発明の第１実施例では、図２に示されたとおり、単純に互いに所定の間隔を置いて配置された２つの部分８’、８”を合わせた全体的な形状が翼形になっており、２つの部分８’、８”それぞれの形状が翼形でない形状になっている。一方、本発明の第２実施例では、図３に示されたとおり、２つの部分８’、８”のそれぞれを翼形になるように形成させても好ましいのは勿論である。
【００２０】
その理由は、既に、流体力学教科書（Fluid Mechanics、第３版、著者：F.M.White, McGrawHill出版、ｐｐ．４２３−４３１）において開示されているように、多様な迎角を有する流動形態に対して、可変翼（variable wing）の如くブレードの形状を能動的に変更できるように主ブレードの前縁部及び後縁部に、もう一つの小さい補助翼（flap又はslat）を取り付けて二重翼の構造を有することにより、離着陸時に、翼の形及び翼の角度を変更させ揚力及び飛行性能を向上させることができるというものである。このような概念から出発したが、翼の角度を能動的に変更することができない環境である本発明の場合、既存固定子のブレードに大きな迎角の流動に対して前縁部側の補助翼を取り付けた形態の二重翼であるか既存固定子のブレードにスロットを適切に形成させて二重翼構造を有するようになれば、大きな迎角の流動に対しても流動剥離なく滑らかに流動を固定子ブレード表面を沿って流らせることができるようになる。図３はこのような本発明の一実施例であって既存の固定子ブレードにスロットを適切に形成させ二重翼構造を有するようにしたもので、流動剥離をほとんど除去できる流動構造が示される。迎角が大きいのにも拘わらず翼の表面を滑らかに流れる流動形態となるので性能係数の向上が期待される。勿論、航空機の翼においては安定的な揚力を得ることが主目的であるが、本発明では大きな迎角の流動を流動剥離が生成することなしに流れ出し抗力を減少させることが目的である。トルクコンバータ内の流動抗力が減少すると流体の流れ速度が増加し、これに因り性能係数、特に入力容量係数が増加する。
【００２１】
つぎに、上記のように構成された固定子５の作用に関し説明する。速度比が０である失速状態又は低い速度比区間において、固定子５のブレード８の前縁の左側下に流入されるオイルは固定子５のブレード８に対して大きな迎角から流れ、該ブレード８によって流れ方向が変化され得る。その場合、図４に示されたとおり、ブレード８の表面に近い境界層における速度分布は、ブレード８の前縁から後縁側に行くにつれて変化し、ブレード８の表面を沿って流れない場合にはその部分から剥離が生じるが、本発明の固定子５では、小さい迎角を持ってブレード８に流入されるオイルの流体はブレード８の前縁を沿って迂回するが、図５に示したとおり、大きな迎角を持ってブレード８に流入されるオイルの流体はブレード８に新しく形成された貫通通路１５を通してブレードの背面部側に突出されるため、固定子のブレードの背面部側におけるオイル流体の剥離領域ないし再循環領域を惹起することなく下流側に流出されて、圧力損失の防止、言い換えれば、伝達比率の向上を図ることが可能である。
【００２２】
又、上記説明において、固定子の翼形ブレード８に貫通通路１５を形成すると、固定子のブレードの背面部側におけるオイル流体の剥離領域ないし再循環領域が図５に示したとおり、発生しないことが実験的に立証された。これに加えて固定子のブレード８が翼形でない中実の薄板形であっても、外表面を凸曲面からなった背面部と凹曲面とからなった腹面部によって形成し、オイルの流れ方向上流側である腹面部から下流側である背面部に亘って固定子ブレード８を貫通するオイル流動用スロット状の貫通通路１５を備えることにより、図４に示されたような現象が、即ち、該貫通通路から下流側である背面部近くに流出するオイルの流れによって流動剥離現象が防止されることが実験的に立証された。
【００２３】
以下、固定子ブレード８に対する最適の条件に対して説明する。
本発明による固定子ブレード８に形成された最適の貫通通路は、図６で示されたように角度θとして限定される。この角度は、固定子ブレードの平均キャンバーライン（mean camber line）上の貫通通路の幅（互いに離れて配置された二つの部分８’、８”の間隔）を２等分する貫通通路の中心軸線とタービン翼の設計流線（design path）上の出口点における接線の平行線とにより形成される貫通通路の角度（θ）と定義する。タービン翼の出口接点から延長した線と貫通通路の中心軸線が平行のとき、貫通通路の角度は０度である。貫通通路の中心軸線が主流動方向に傾いた場合の角度を貫通通路角度の陽（＋）の方向と定める。
【００２４】
本発明の効果を挙げるために多様な貫通通路の角度に対して体系的な実験研究結果、表１に示したとおりの結果を得た。即ち、貫通通路の角度変化によってトルクコンバータの主要性能係数として使用されるトルク比（torque ratio, ＴＲ）と入力性能係数（input capacity factor, ＣＦ）の変化を研究した結果、貫通通路の最適角度範囲は−５度から＋４０度であり、この最適角度範囲においては、入力性能係数が１０％以上向上されることが分かった。この角度範囲におけるトルク比は貫通通路がない既存の翼に対する値に比べてほとんど同一な値である。このように入力性能係数が向上されたのは図５に示したとおり、本発明で解決しようとした翼の背面部における流動剥離及び流動再循環が貫通通路を通過する新たな流動によって低減されるか消滅されたからだと確認された。図５は本発明の一実施例であって、貫通通路の角度は１０度である。しかし、貫通通路の角が−５度より小さいか４０度より大きい場合、表１に示したように性能係数等が大きく低下される現象を見ることができるので、本発明の効果を得るためには上述した最適角度が不可欠である。
【００２５】
【表１】
2005520109.tif 000003
【００２６】
さらに、固定子ブレード８に形成された貫通通路の位置にも最適の条件があることが本発明によって明らかとなった。先ず、貫通通路の位置の定義は固定子ブレード８の全体コード（chord）すなわち固定子ブレード８の前縁から後縁までの直線距離に対して、前記前縁から、固定子ブレード８の平均キャンバーライン（camber line）と貫通通路の中心軸との交差点から延びる垂線とコード線との交点までの距離の比を百分率で表したものである。多様な位置の貫通通路が可能であるが、本発明の効果を挙げるために多様な貫通通路の位置に対して体系的に行った実験研究の結果、表２に示されたような結果を得た。即ち、貫通通路の位置が変化するに従って適切な位置の場合、入力性能係数（input capacity factor, ＣＦ）が大きく向上される。しかし、位置が適切でない場合、返って性能を大きく低下させ、甚だしくは、トルク比の顕著な低下を招くこともある。このような研究結果を整理すると表２のとおりである。
【００２７】
即ち、１２％から３８％の間の最適位置範囲ではトルク比の減少なしに入力性能係数が向上されるが、最適位置範囲以外の位置ではトルク比及び入力性能係数が急激に低下し、基準翼の値より良くない結果を招くこともあることが分かった。従って、表２に示したように、本発明の効果を得るためには、最適位置に貫通通路を設けることが不可欠である。
【００２８】
【表２】
2005520109.tif 000004
【００２９】
一方、貫通通路の面積も貫通通路の主要変数である。貫通通路の面積は貫通通路の背面部表面積と固定子ブレード８の背面部表面積との比によって定義する。先の研究におけるように、多様なサイズの貫通通路に対し体系的に研究した結果を表３に整理した。即ち、貫通通路の面積が小さすぎると本発明の効果が微々になり、大きすぎるとかえって固定子ブレード８の固有機能、即ち、タービンから出た流動をよく整列してインペラーに送ってトルク増配を発生する固有の機能を失うようになる。研究結果、貫通通路の面積比は３％乃至２０％の範囲内にあってこそセグ（ｓａｇ）現象の防止機能と共に元来のトルク増配機能が最適に存在することが明らかになった。
【００３０】
【表３】
2005520109.tif 000005
【００３１】
一方、貫通通路の断面積が流動方向に漸次拡大されるような断面形状である場合に、本発明の効果がより向上することがわかった。即ち、断面が一定な場合では、貫通通路の流入速度が背面部への出口速度と同一であるので、貫通流動が噴出（jet）成分の流動になり、背面部流動を妨害することもある。しかしながら、断面が拡大される貫通通路の場合においては、貫通通路を貫通する流動が断面積の拡大に因り、流入速度より貫通通路の出口流動速度が減少するようになり、背面部の主流動と円満に進入して主流動場を妨害することなく本発明の効果である流動剥離および再循環流動を低減させるようになる。
【００３２】
本研究では、表４に示したように貫通通路の入口面積に比べて、出口の断面積の比が１０％乃至３０％の範囲内で拡大されるのが、最適であることが分かった。
【００３３】
【表４】
2005520109.tif 000006
【００３４】
以上の説明から明らかなように、本発明のトルクコンバータの固定子のブレードによれば、失速および低い速度比区間においても流動剥離及び流動再循環発生を抑制して流体の損失を最少化することにより、発生トルクを増大させることができるばかりでなく、失速点から一定速度比領域まで安定的なトルクを発生させ伝達することができる効果を得ることができる。特に、セグ現象を流体力学的な側面から発生原因を究明し、これに対する本発明の設計案に対し流動解釈を通して画期的な流動剥離減少及び入力容量係数の増加、そして安定的なトルクを確認することができた。
【図面の簡単な説明】
【００３５】
【図１】本発明による固定子を備えたトルクコンバータの縦断面図。
【図２】本発明による固定子ブレードの１実施例を図示する斜視図。
【図３】本発明による固定子ブレードの第２実施例を図示する斜視図。
【図４】失速状態における従来の固定子ブレード周りのオイルの流れを図示する図面。
【図５】失速状態における本発明の固定子ブレード周りのオイルの流れを図示する図面。
【図６】インペラーのブレードに対する本発明の固定子ブレードの角度を図示する図面。
【図７】複数の貫通孔が形成された従来の固定子ブレード周りのオイルの流れを失速状態で図示する図面。
【図１】
2005520109.tif 000007
【図２】
2005520109.tif 000008
【図３】
2005520109.tif 000009
【図４】
2005520109.tif 000010
【図５】
2005520109.tif 000011
【図６】
2005520109.tif 000012
【図７】
2005520109.tif 000013
【国際調査報告】
2005520109.tif 000014